(57)【要約】【課題】簡易な形状であって、かつステープルおよびテープ等の固定用部材を用いることなく底面が固定可能である容器を提供する。【解決手段】本発明に係る容器は、対向する一対の側壁と連続して形成された底面フラップがそれぞれ設けられ、他方の対向する一対の側壁と連続して形成された折畳みフラップがそれぞれ設けられ、底面フラップと折畳みフラップとは折り目を介して連続して形成され、折畳みフラップには、側壁との境界線に対して角度４５度で当該フラップのコーナー部から下辺中央方向に向けて折畳み用折り目が設けられ、底面フラップが側壁と垂直方向になるように容器内方へ折曲されることにより底面が構成されるときに、折畳みフラップが折畳み用折り目で折り畳まれて偏平に重ねられた後、対応する側壁面に当接する方向に折曲されることによって底面フラップが開かないように規制される。【選択図】図１
2007326592.tif 000002
【特許請求の範囲】
【請求項１】
少なくとも底面と四面の側壁とが設けられる容器において、
一方の対向する一対の側壁には折り目を介して当該側壁と連続して形成された底面フラップがそれぞれ設けられ、
他方の対向する一対の側壁には折り目を介して当該側壁と連続して形成された折畳みフラップがそれぞれ設けられ、
前記底面フラップと前記折畳みフラップとは各側壁間の稜線と連続する折り目を介して連続して形成され、
前記折畳みフラップには、当該フラップと側壁との境界線に対して角度４５度で当該フラップの側壁側コーナー部から当該フラップの下辺方向に向けて折畳み用折り目が設けられ、
前記底面フラップが側壁と垂直方向になるように容器内方へ折曲されることにより底面が構成されるときに、
前記折畳みフラップが前記折畳み用折り目で折り畳まれて偏平に重ねられ、当該偏平状態の折畳みフラップが、対応する側壁面に当接する方向に折曲されることによって前記底面フラップが開かないように規制されること
を特徴とする容器。
【請求項２】
前記底面フラップに折り目を介して延長先端部が設けられ、当該底面フラップが底面を構成するときに当該延長先端部が内方に折曲されて、当該延長先端部の両端部により前記偏平状態の折畳みフラップが対応する側壁内壁面に当接する状態で支持可能であること
を特徴とする請求項１記載の容器。
【請求項３】
前記側壁と前記底面フラップと前記折畳みフラップとが、紙板材からなること
を特徴とする請求項１または請求項２記載の容器。
【請求項４】
前記折畳みフラップの側壁側コーナー部に切欠部が設けられること
を特徴とする請求項１〜３のいずれか一項記載の容器。
【請求項５】
前記折り目の全部もしくは一部が、断続するミシン線であること
を特徴とする請求項１〜４のいずれか一項記載の容器。
【発明の詳細な説明】
【技術分野】
【０００１】
本発明は、容器に関し、さらに詳細には、少なくとも底面と四面の側壁とが設けられる容器に関する。
【背景技術】
【０００２】
少なくとも底面と四面の側壁とが設けられる容器に関しては、従来から多種多様な容器が提案されている。
また、そのような容器を構成する材料として、特に製造面および費用面等において多くの利点を有する紙板材を用いるものが多く提案されている。
【０００３】
少なくとも底面と四面の側壁とが設けられる紙板材からなる従来の容器の一例として、実用新案登録第３０２６６６９号公報に記載されたものであって、図５に示す容器が提案されている。
この従来例は、長辺側側面部２２、短辺側側面部２３、上蓋部２４、底蓋部２５、補助蓋部２６および貼り合わせ部２７よりなる抜き原紙２１を作成し、短辺側側面部２３に設けた挿入穴２８からステープラーの固定側脚部を挿入して、底蓋部２５と補助蓋部２６をステープル止めして容器が組み立てられる。
【０００４】
【特許文献１】実用新案登録第３０２６６６９号公報
【発明の開示】
【発明が解決しようとする課題】
【０００５】
図５に示す従来の容器は、簡易な形状であって、組み立ても容易である。しかしながら、底面を固定する際に、ステープラーを用いたステープル固定が必要となる。その結果、作業工程が増加する、およびステープルの材料費が別途必要となるという問題が生じる。
【０００６】
本発明は、上記事情に鑑みてなされたものであり、簡易な形状であって、かつステープルおよびテープ等の固定用部材を用いることなく底面が固定可能である容器を提供することを目的とする。
【課題を解決するための手段】
【０００７】
本発明は、以下に記載するような解決手段により、前記課題を解決する。  
【０００８】
本発明に係る容器は、少なくとも底面と四面の側壁とが設けられる容器において、一方の対向する一対の側壁には折り目を介して当該側壁と連続して形成された底面フラップがそれぞれ設けられ、他方の対向する一対の側壁には折り目を介して当該側壁と連続して形成された折畳みフラップがそれぞれ設けられ、前記底面フラップと前記折畳みフラップとは各側壁間の稜線と連続する折り目を介して連続して形成され、前記折畳みフラップには、当該フラップと側壁との境界線に対して角度４５度で当該フラップの側壁側コーナー部から当該フラップの下辺中央方向に向けて折畳み用折り目が設けられ、前記底面フラップが側壁と垂直方向になるように容器内方へ折曲されることにより底面が構成されるときに、前記折畳みフラップが前記折畳み用折り目で折り畳まれて偏平に重ねられ、当該偏平状態の折畳みフラップが、対応する側壁面に当接する方向に折曲されることによって前記底面フラップが開かないように規制されることを特徴とする。
【０００９】
また、前記容器が、前記底面フラップに折り目を介して延長先端部が設けられ、当該底面フラップが底面を構成するときに当該延長先端部が内方に折曲されて、当該延長先端部の両端部により前記偏平状態の折畳みフラップが対応する側壁内壁面に当接する状態で支持可能であることを特徴とする。
【００１０】
また、前記容器が、前記側壁と前記底面フラップと前記折畳みフラップとが、紙板材からなることを特徴とする。
【００１１】
また、前記容器が、前記折畳みフラップの側壁側コーナー部に切欠部が設けられることを特徴とする。
【００１２】
また、前記容器が、前記折り目の全部もしくは一部が、断続するミシン線であることを特徴とする。
【発明の効果】
【００１３】
請求項１によれば、折畳みフラップ４が折り畳まれて対応する側壁面に当接する方向に折曲されることによって、底面フラップ３が開かないように規制される。
その状態であれば、容器１に物が収納されて底面に加重が加えられた場合であっても、底面が開かないため、底面固定用のステープル、テープ等を用いることなく、そのまま容器としての使用が可能となる。
【００１４】
請求項２によれば、偏平状態に折り畳まれた後、側壁の内壁面に当接する方向に折曲された折畳みフラップに対して、内方に折曲された延長先端部の両端部が当接することによって、当該折畳みフラップが底面方向に移動しないように支持することが可能となる。
すなわち、当該折畳みフラップがその状態で発生させる段落００１３記載の効果を保持することが可能となる。
【００１５】
請求項３に記載の通り、本発明は、例えばダンボール紙に代表される紙板材への適用が好適である。
【００１６】
請求項４によれば、折畳みフラップが折畳み用折り目で内方に折り畳まれる際に側壁側コーナー部付近で発生する部材の重なりを解消することが可能となる。そのため、当該コーナー部付近のせりあがり等の部材の変形および部材の破断が防止できる。また、折り曲げ動作が容易となる。
【００１７】
請求項５によれば、折り目および折畳み用折り目において折り曲げ動作を行う際に、断続するミシン線によって、折り曲げ位置が特定されるとともに、当該線上は部材の折り曲げ動作が容易となる。
【発明を実施するための最良の形態】
【００１８】
以下、図面を参照して、本発明の実施の形態について詳しく説明する。
図１は、本発明の第一の実施の形態に係る容器１の一例の展開状態を示す平面図である。図２は、その容器１の構成および作用を示す説明図である。図３は、本発明の第二の実施の形態に係る容器１の例を示す概略図である。図４は、本発明の第三の実施の形態に係る容器１の例を示す概略図である。
【００１９】
図２に示すように、容器１は、四面からなる側壁２と、底面フラップ３と、折畳みフラップ４とから構成される。
ここで、底面フラップ３は、一方の対向する一対の側壁２に折り目６を介して当該側壁２と連続して形成される。
また、折畳みフラップ４は、他方の対向する一対の側壁２に折り目７を介して当該側壁２と連続して形成される。その折畳みフラップ４には、当該フラップ４と側壁２との境界線に対して角度４５度で当該フラップ４の側壁２側コーナー部１２から当該フラップ４の下辺４ａ方向に向けて折畳み用折り目５が設けられる。
底面フラップ３と折畳みフラップ４とは各側壁間の稜線と連続する折り目を介して連続して形成される。
なお、側壁２と底面フラップ３との連続構造は、一体構造であっても接合構造であってもいずれでも構わない。同様に、側壁２と折畳みフラップ４との連続構造、および底面フラップ３と折畳みフラップ４との連続構造、それぞれについても一体構造であっても接合構造であってもいずれでも構わない。
【００２０】
折畳み用折り目５、折り目６、および折り目７は、折り曲げ動作を行う際に、その部分で折り曲げられるように作用するものであればいずれの構成でもよく、一例として、紙板材が線状に押圧されて構成されるものや、断続するミシン線で構成されるものが挙げられる。
いずれも、折り畳む位置が明確化されるとともに、当該線上においては折り畳む際の抵抗が軽減されることとなり、部材の折り曲げ動作が容易となる。
【００２１】
側壁２、底面フラップ３、折畳みフラップ４を構成する材料については、それぞれの境界部分等に折り目を設けることが可能であり、かつ、その折り目で折曲が可能であれば、いずれの素材であっても構わない。一例として、ダンボール紙等の紙板材で構成される。
【００２２】
図３に容器１の第二の実施の形態の例を示す。
底面フラップ３において、当該フラップ３に折り目１３を介して延長先端部８が設けられる。延長先端部８は、底面フラップ３が閉じた際に、底面を覆うことができる面積よりも広くなるように先端側に延長して設けられた部分である。
ここで延長先端部８は、図３（ａ）に示すように底面フラップ３の下辺全体に設けられるものであってもよく、図３（ｂ）に示すように底面フラップ３の下辺の一部に設けられるものであってもよい。
なお、延長先端部８は、いずれか一方の底面フラップ３にのみ設けてもよい。
【００２３】
図４に容器１の第三の実施の形態の例を示す。
折畳みフラップ４において、当該フラップ４の側壁２側コーナー部１２に切欠部９が設けられる。
切欠部９の形状は、矩形、三角形等いずれの形状でも構わない。また、その大きさは、後述する作用を奏することができる程度に小さ過ぎず、また容器の強度を損なわない程度に大き過ぎないものが好適である。
【００２４】
次に、紙板材を用いる場合を例として、上記構成に基づく作用を説明する。
図２（ａ）は、図１の展開図に示す紙板材を接合シロ１０の部分で接合したものである。この状態から、図２（ｂ）に示すように、底面フラップ３は折り目６の部分で側壁２と垂直方向になるように容器内方へ折曲される。
これと同時に、折畳みフラップ４が折り目７の部分で側壁２と垂直方向になるように容器内方へ折曲されるとともに、折畳み用折り目５で折り畳まれて偏平に重ねられて、図２（ｃ）のような形状が構成される。
当該偏平状態の折畳みフラップ４は、対応する側壁２の内壁面に当接する方向に折曲されて、図２（ｄ）に示すように、側壁と底面とで収納物を支持する容器１が構成される。
【００２５】
ここで、図２（ｃ）に示すように、偏平状態に折り畳まれた折畳みフラップ４が、底面に当接したままの状態においては、容器１に物が収納されて底面に加重が加えられた際に、当該加重は底面を開く方向に作用し、当該底面が開く動作は、折畳みフラップ４の折り畳みを開放する方向の力として折畳みフラップ４に作用する。このため、折畳みフラップ４からは、底面の開放を規制して収納物を支えようとする作用が生じない。したがって、容器として使用する際には、ステープル、テープ等で底面が開かないように留める必要がある。
一方、図２（ｄ）に示すように、偏平状態に折り畳まれた折畳みフラップ４が、対応する側壁２の内壁面に当接する方向に折曲された状態においては、容器１に物が収納されて、底面に加重が加えられると底面は開く方向に作用するが、偏平状態に折り畳まれた折畳みフラップ４の面方向の力として作用するため、折畳みフラップ４の折り畳みを開放する方向の力としては作用しない。つまり、当該偏平状態の折り畳みが開放されない限り、底面フラップは開く方向に作動することができないため、折畳みフラップ４によって底面フラップ３が開かないように規制されて、収納物を底面で支えようとする作用が生じる。したがって、底面が開かないようにするためのステープル、テープ等を用いることなく、容器としての使用が可能となる。
なお、折畳みフラップ４の折畳み部分１１は、容器１内に収納する収納物によって内側から押さえて起立状態を維持させることができるので、特段、他の固定手段によって側壁２の内側に固定する必要がない。
【００２６】
次に、延長先端部８の作用について説明する。
図３に示すように、底面フラップ３が閉じられる際に、延長先端部８が内方に折曲されることによって、当該延長先端部の両端部が、偏平状態に折り畳まれた折畳みフラップ４に当接する。
この作用によって、側壁２の内壁面に当接する方向に折曲された折畳みフラップ４が底面方向に移動しないように支持することが可能となる。
【００２７】
次に、切欠部９の作用について説明する。
図４に示すように、折畳みフラップ４が折畳み用折り目５で内方に折り畳まれる際に、折り畳まれる折畳みフラップ４の上下２枚、および１枚の底面フラップ３の合計３枚の部材の重なりが発生する。そのため、切欠部９を設けない場合には、折畳みフラップ４の側壁側コーナー部１２付近は内方および外方にせりあがってしまう等の変形や部材の破断が発生し得るとともに、折り曲げが困難な状態が生じる。
しかし切欠部９を設けることにより、前記折り畳みの際の重なりを解消することが可能となる。このため、当該コーナー部１２付近のせりあがり等の部材の変形および部材の破断が防止できる。また、折り畳む際の抵抗が軽減されることとなり、折り曲げ動作が容易となる。
【００２８】
以上、折畳みフラップ４が内方に折り畳まれる場合を例として説明をしたが、当該折畳みフラップ４が折畳み用折り目５で外方に折り畳まれる場合であっても、当該偏平状態の折畳みフラップ４が、対応する側壁外面に当接する方向に折曲されることによって、側壁内面に当接する場合と同様の作用により底面フラップ３が開かないように規制される。
【００２９】
また、本発明を容器上面蓋部の構成として用いることができることはもちろんである。
【図面の簡単な説明】
【００３０】
【図１】本発明の第一の実施の形態に係る容器の一例の展開状態を示す平面図である。
【図２】図１に示す容器の構成および作用を示す説明図である。
【図３】本発明の第二の実施の形態に係る容器の例を示す概略図である。
【図４】本発明の第三の実施の形態に係る容器の例を示す概略図である。
【図５】従来の実施形態に係る容器の一例を示す概略図である。
【符号の説明】
【００３１】
１  容器
２  側壁
３  底面フラップ
４  折畳みフラップ
４ａ  折畳みフラップ４の下辺
５  折畳み用折り目
６  折り目
７  折り目
８  延長先端部
９  切欠部
１０  接合シロ
１１  折畳みフラップ４の折畳み部分
１２  フラップ４の側壁２側コーナー部
１３  折り目
【図１】
2007326592.tif 000003
【図２】
2007326592.tif 000004
【図３】
2007326592.tif 000005
【図４】
2007326592.tif 000006
【図５】
2007326592.tif 000007